(57)【要約】【課題】制御用基板が配置されるカード処理部への水の侵入を抑制することが可能なカードリーダを提供すること。【解決手段】カードリーダ１は、制御用基板１０が配置されるとともにカード２に記録された情報の再生および／またはカード２への情報の記録を行うカード処理部３と、カード２が挿入されるカード挿入口４が形成されるカード挿入部５とを備えている。カード挿入部５には、カード挿入口４から挿入されるカード２がカード処理部３に向かって通過するカード通過路と、カード通過路に繋がる排水用の排水孔１３ｄとが形成されている。【選択図】図２
2010160665.tif 000002
【特許請求の範囲】
【請求項１】
制御用基板が配置されるとともにカードに記録された情報の再生および／または前記カードへの情報の記録を行うカード処理部と、前記カードが挿入されるカード挿入口が形成されるカード挿入部とを備え、
前記カード挿入部には、前記カード挿入口から挿入される前記カードが前記カード処理部に向かって通過するカード通過路と、挿入される前記カードに付着した水等を排出するために前記カード通過路に繋がる排水用の排水孔とが形成されていることを特徴とするカードリーダ。
【請求項２】
前記カード通過路には、前記カード通過路を通過する前記カードと前記カード通過路との間の摩擦抵抗を軽減するための複数の突起部が形成され、
複数の前記突起部は、前記カード通過路を通過する前記カードの厚さ方向と前記カードの通過方向とに略直交する前記カードの幅方向において所定の間隔をあけた状態で、前記通過方向に沿って形成され、
前記排水孔は、前記突起部の間に形成されていることを特徴とする請求項１記載のカードリーダ。
【請求項３】
前記排水孔は、前記カードの幅方向において、前記突起部間の全域に形成されるとともに、前記カードの幅方向と略平行な内周面を有し、前記カードの厚さ方向から見たときの形状が矩形状となるように形成されていることを特徴とする請求項２記載のカードリーダ。
【請求項４】
前記通過方向における前記カード通過路と前記排水孔の境界部となる前記排水孔の縁部には、前記カード通過路に向かうにしたがって前記通過方向に広がる傾斜面が形成されていることを特徴とする請求項３記載のカードリーダ。
【請求項５】
前記カード挿入部は、前記カード通過路を開閉するためのシャッタ部材を備えることを特徴とする請求項１から４いずれかに記載のカードリーダ。
【請求項６】
前記カード挿入部は、前記シャッタ部材を駆動するシャッタ駆動機構を備え、
前記シャッタ駆動機構は、前記カード通過路の、前記排水孔が形成された側とは反対側に配置されていることを特徴とする請求項５記載のカードリーダ。
【請求項７】
前記カード挿入部は、前記カード通過路を通過する前記カードの表面に当接可能なローラを備えることを特徴とする請求項１から６いずれかに記載のカードリーダ。
【発明の詳細な説明】
【技術分野】
【０００１】
本発明は、カードに対して情報の再生や記録を行うカードリーダに関する。
【背景技術】
【０００２】
従来、屋外に設置されて使用されるカードリーダとして、カードリーダ内の磁気ヘッドの誤動作を防止するための雨水侵入防止装置を備えるカードリーダが知られている（たとえば、特許文献１参照）。この特許文献１に記載のカードリーダでは、雨水侵入防止装置は、互いに対向配置されるゴム製の固定ローラおよび可変ローラと、固定ローラの下方に配置されるシュータとを備えており、固定ローラ、可変ローラおよびシュータは、カードリーダの本体の内部に配置されている。
【０００３】
このカードリーダは、カードの挿入、抜き取りを行うカード挿脱口から挿入されたカードが固定ローラと可変ローラとの間を通過するように構成されており、固定ローラと可変ローラとによって拭き払われた雨水は、シュータへ落下して、シュータに沿って、カードリーダ本体の外部へ排出される。
【先行技術文献】
【特許文献】
【０００４】
【特許文献１】特開平７−２６２３２３号公報
【発明の概要】
【発明が解決しようとする課題】
【０００５】
しかしながら、特許文献１に記載のカードリーダでは、固定ローラ、可変ローラおよびシュータが本体の内部に配置されており、本体内に一旦入った水が外部へ排出されている。すなわち、このカードリーダでは、本体内に水が侵入してしまう。したがって、このカードリーダでは、本体内に設置される制御用基板に水が付着しやすくなり、制御用基板で短絡が発生するおそれがある。
【０００６】
そこで、本発明の課題は、制御用基板が配置されるカード処理部への水の侵入を抑制することが可能なカードリーダを提供することにある。
【課題を解決するための手段】
【０００７】
上記の課題を解決するため、本発明のカードリーダは、制御用基板が配置されるとともにカードに記録された情報の再生および／またはカードへの情報の記録を行うカード処理部と、カードが挿入されるカード挿入口が形成されるカード挿入部とを備え、カード挿入部には、カード挿入口から挿入されるカードがカード処理部に向かって通過するカード通過路と、挿入されるカードに付着した水等を排出するためにカード通過路に繋がる排水用の排水孔とが形成されていることを特徴とする。
【０００８】
本発明のカードリーダでは、排水用の排水孔が、カード処理部に向かってカードが通過するカード通過路に繋がるように形成されている。そのため、カード挿入口から挿入されるカードに付着した水等のカード挿入口からカード通過路に侵入する水を排水孔からカードリーダの外部に排出することが可能になる。したがって、本発明では、制御用基板が配置されるカード処理部への水の侵入を抑制することが可能になる。
【０００９】
本発明において、カード通過路には、カード通過路を通過するカードとカード通過路との間の摩擦抵抗を軽減するための複数の突起部が形成され、複数の突起部は、カード通過路を通過するカードの厚さ方向とカードの通過方向とに略直交するカードの幅方向において所定の間隔をあけた状態で、通過方向に沿って形成され、排水孔は、突起部の間に形成されていることが好ましい。このように構成すると、カード通過路を通過するカードは、突起部に接触しながらカード通過路を通過するため、カード通過路に繋がるように排水孔が形成される場合であっても、カード通過路を通過するカードの端部が排水孔に引っ掛かりにくくなる。
【００１０】
本発明において、排水孔は、カードの幅方向において、突起部間の全域に形成されるとともに、カードの幅方向と略平行な内周面を有し、カードの厚さ方向から見たときの形状が矩形状となるように形成されていることが好ましい。このように構成すると、カードの通過方向における排水孔の幅を小さくしつつ、排水孔を大きく形成することが可能になる。したがって、カードの通過方向におけるカード挿入部の幅が小さい場合であっても、排水孔から効果的に水を排出することが可能になる。
【００１１】
本発明において、通過方向におけるカード通過路と排水孔の境界部となる排水孔の縁部には、カード通過路に向かうにしたがって通過方向に広がる傾斜面が形成されていることが好ましい。このように構成すると、カード通過路に侵入した水を排水孔に円滑に集めることが可能になり、排水孔から効果的に水を排出することが可能になる。また、カード通過路を通過するカードの端部の排水孔での引っ掛かりを効果的に防止することが可能になる。
【００１２】
本発明において、カード挿入部は、たとえば、カード通過路を開閉するためのシャッタ部材を備えている。この場合には、カード挿入部は、シャッタ部材を駆動するシャッタ駆動機構を備え、シャッタ駆動機構は、カード通過路の、排水孔が形成された側とは反対側に配置されていることが好ましい。このように構成すると、排水孔から排出される水がシャッタ駆動機構に付着するのを防止するための構成を設ける必要がなくなる。したがって、カード挿入部がシャッタ部材およびシャッタ駆動機構を備えている場合であっても、カード挿入部の構成を簡素化することが可能になる。
【００１３】
本発明において、カード挿入部は、カード通過路を通過するカードの表面に当接可能なローラを備えることが好ましい。このように構成すると、カードの表面に付着した水をローラによって取り除くことが可能になる。
【発明の効果】
【００１４】
以上のように、本発明のカードリーダでは、制御用基板が配置されるカード処理部への水の侵入を抑制することが可能になる。
【図面の簡単な説明】
【００１５】
【図１】本発明の実施の形態にかかるカードリーダの、上ガイド部を開けた状態を示す斜視図である。
【図２】図１に示すカードリーダを底面側から示す斜視図である。
【図３】図１に示すカード挿入部の底面図である。
【図４】図１に示す下ガイド部の前端側の平面図である。
【図５】図４のＥ−Ｅ断面の断面図である。
【発明を実施するための形態】
【００１６】
以下、本発明の実施の形態を図面に基づいて説明する。
【００１７】
（カードリーダの概略構成）
図１は、本発明の実施の形態にかかるカードリーダ１の、上ガイド部１２を開けた状態を示す斜視図である。図２は、図１に示すカードリーダ１を底面側から示す斜視図である。
【００１８】
本形態のカードリーダ１は、たとえば、洗車場等の屋外に設置される上位装置に搭載されて使用される。すなわち、カードリーダ１は、たとえば、水がかかりやすい環境下で使用される。このカードリーダ１は、図１、図２に示すように、カード２に対する情報の再生や記録を行うカード処理部３と、カード２が挿入、排出されるカード挿入口４が形成されるカード挿入部５とを備えている。
【００１９】
本形態では、図１、図２のＸ方向にカード２が搬送される。また、Ｘ方向の直交するＺ方向は、カードリーダ１内に取り込まれたときのカード２の厚さ方向であり、Ｘ方向とＺ方向とに直交するＹ方向は、カードリーダ１内に取り込まれたときのカード２の幅方向である。なお、以下の説明では、図１、図２のＸ１方向側を「手前」側、Ｘ２方向側を「奥」側、Ｚ１方向側を「上」側、Ｚ２方向側を「下」側とする。すなわち、本形態では、カードリーダ１は、図１に示すように、Ｚ１方向が上、Ｚ２方向が下となるように、上位装置に搭載されている。
【００２０】
カード２は、たとえば、厚さが０．１８〜０．３６ｍｍ程度のＰＥＴ（ポリエチレンテレフタレート）カードである。このカード２の表面には、磁気情報が記録される磁気ストライプ２ａが形成されている。なお、カード２は、厚さが０．７〜０．８ｍｍ程度の塩化ビニール製のカードであっても良いし、所定の厚さの紙カード等であっても良い。
【００２１】
カード処理部３は、カードリーダ１内でカード２を搬送するためのカード搬送機構７と、磁気ストライプ２ａに記録された磁気情報の再生および／または磁気ストライプ２ａへの磁気情報の記録を行う磁気ヘッド８と、カード２の利用度数に応じてカード２に孔をあけるためのパンチ機構９と、カードリーダ１の各種の制御を行うための制御用基板１０とを備えている。また、カード処理部３は、カード２が搬送されるカード搬送路１１を形成する上ガイド部１２と下ガイド部１３とを備えており、上下方向における上ガイド部１２と下ガイド部１３との間にカード搬送路１１が形成されている。
【００２２】
磁気ヘッド８は、Ｙ方向におけるカード搬送機構７の側方に配置され、パンチ機構９は、カード搬送機構７の奥方に配置されている。また、制御用基板１０は、カード搬送路１１の下方に配置されている。
【００２３】
カード搬送機構７は、カード２に当接してカード２を搬送するベルト１５やベルト１５を駆動するためのモータ１６等を備えている。ベルト１５には、パッドローラ１７が対向配置されており、パッドローラ１７は、ベルト１５に向かって付勢されている。また、磁気ヘッド８には、対向ローラ１８が対向配置されており、対向ローラ１８は、磁気ヘッド８に向かって付勢されている。
【００２４】
（カード挿入部の構成）
図３は、図１に示すカード挿入部５の底面図である。図４は、図１に示す下ガイド部１３の前端側の平面図である。図５は、図４のＥ−Ｅ断面の断面図である。
【００２５】
カード挿入部５は、カード処理部３の手前端側に配置されている。本形態のカード挿入部５の下面側は、下ガイド部１３の手前端部分１３ａによって構成されている。また、カード挿入部５は、カード挿入口４から挿入されるカード２がカード処理部３に向かって通過するカード通過路２１を手前端部分１３ａとともに形成する上面部２２を備えており、上下方向における上面部２２と手前端部分１３ａとの間にカード通過路２１が形成されている。すなわち、カード挿入部５は、上フレームとなる上面部２２と下フレームとなる手前端側部分１３ａとの上下に分割可能な２つのフレームによって構成されており、この２つのフレームの間にカード挿入口４とカード通過路２１とが形成されている。カード通過路２１は、カード挿入口４とカード搬送路１１との間に形成され、カード挿入口４とカード搬送路１１とを繋いでいる。
【００２６】
また、カード挿入部５は、カード通過路２１を開閉するためのシャッタ部材（図示省略）と、シャッタ部材を駆動するシャッタ駆動機構２３と、カード通過路２１を通過するカード２の表面に当接する１個のローラ２４とを備えている。
【００２７】
本形態では、カード２は、カード通過路２１をＸ方向へ通過する。具体的には、カード挿入口４から挿入されるカード２がカード通過路２１をＸ２方向へ通過し、カード挿入口４から排出されるカード２がカード通過路２１をＸ１方向へ通過する。すなわち、Ｘ方向は、カード２の通過方向である。
【００２８】
下ガイド部１３には、カード搬送路１１およびカード通過路２１を通過するカード２と、カード搬送路１１またはカード通過路２１との間の摩擦抵抗を軽減するための複数の突起部１３ｂが、カード搬送路１１の下面１１ａまたはカード通過路２１の下面２１ａから上方向へ突出するように形成されている。また、下ガイド部１３の手前端部分１３ａには、カード通過路２１を通過するカード２と、カード通過路２１との間の摩擦抵抗を軽減するための複数の突起部１３ｃが、カード通過路２１の下面２１ａから上方向へ突出するように形成されている。
【００２９】
複数の突起部１３ｂ、１３ｃは、Ｙ方向（カード２の幅方向）において所定の間隔をあけた状態で交互に形成されている。また、突起部１３ｂ、１３ｃは、Ｘ方向（カード２の通過方向）に沿って形成されている。すなわち、突起部１３ｂ、１３ｃは、Ｘ方向を長手方向とする長尺状に形成されている。
【００３０】
下ガイド部１３の手前端部分１３ａには、カードに付着した水等を排出するため、上下方向に貫通する排水用の複数の排水孔１３ｄが形成されている。すなわち、手前端部分１３ａには、下方からカード搬送路２１に繋がる複数の排水孔１３ｄが形成されている。この排水孔１３ｄは、図４に示すように、複数の突起部１３ｂと突起部１３ｃとの間に形成されている。具体的には、排水孔１３ｄは、Ｙ方向において、突起部１３ｂ、１３ｃ間の全域に形成されている。また、Ｘ方向における排水孔１３ｄの内周面はＹ方向と略平行に形成されており、Ｚ方向から見たときの排水孔１３ｄの形状は矩形状となっている。
【００３１】
Ｘ方向におけるカード通過路２１の下面２１ａと排水孔１３ｄの境界部となる排水孔１３ｄの縁部（すなわち、排水孔１３ｄの上端）には、図５に示すように、下面２１ａに向かうにしたがってＸ方向（具体的には、Ｘ１方向およびＸ２方向）に広がる傾斜面１３ｅが形成されている。
【００３２】
シャッタ駆動機構２３は、駆動源となるソレノイドや、シャッタ部材とソレノイドとを連結するリンク機構等を備えている。このシャッタ駆動機構２３は、カード通過路２１の上方に配置されている。すなわち、シャッタ駆動機構２３は、上面部２２に取り付けられている。本形態では、ソレノイドに電流が供給されるとシャッタ部材が上昇してカード通過路２１が開放状態となる。一方、ソレノイドへの電流の供給が停止されるとシャッタ部材が下降してカード通過路２１が閉鎖状態となる。なお、本形態では、カード通過路２１の閉鎖状態において、シャッタ部材は、カード通過路２１の一部を閉鎖している。
【００３３】
ローラ２４は、下ガイド部１３の手前端部分１３ａに上下方向を貫通するように形成されたローラ配置孔１３ｆに配置されている。また、ローラ２４は、板バネ２５によって上方へ付勢されている。具体的には、カード通過路２１の下面２１ａよりもローラ２４が上側に突出するように、ローラ２４は板バネ２５によって付勢されている。このローラ２４は、カード搬送機構７によってカード処理部３から排出されるカード２がカード挿入部５から飛び出すのを防止する機能を果たしている。
【００３４】
（本形態の主な効果）
以上説明したように、本形態のカード挿入部５では、下ガイド部１３の手前端部分１３ａに排水孔１３ｄが形成されている。そのため、カード挿入口４から挿入されるカード２に付着した水等のカード挿入口４からカード通過路２１に侵入する水を排水孔１３ｄからカード挿入部５の外部へ（すなわち、カードリーダ１の外部へ）排出することができる。したがって、本形態では、制御用基板１０が配置されるカード処理部３への水の侵入を抑制することができる。
【００３５】
特に本形態では、排水孔１３ｄの上端には、カード通過路２１の下面２１ａに向かうにしたがってＸ方向に広がる傾斜面１３ｅが形成されているため、カード通過路２１内に侵入した水を排水孔１３ｄに円滑に集めることが可能になり、排水孔１３ｄから効果的に水を排出することができる。また、本形態では、カード通過路２１に、カード２の表面に当接するローラ２４が配置されているため、カード通過路２１を通過するカード２の表面に付着した水をローラ２４によって取り除くことができ、カード処理部３への水の侵入を効果的に抑制することができる。
【００３６】
本形態では、排水孔１３ｄは、複数の突起部１３ｂ、１３ｃ間に形成されており、カード通過路２１を通過するカード２は、突起部１３ｂ、１３ｃに接触しながらカード通過路２１を通過する。そのため、下方からカード通過路２１に繋がるように排水孔１３ｄが形成されている場合であっても、カード通過路２１を通過するカード２の端部が排水孔に引っ掛かりにくくなる。特に本形態では、排水孔１３ｄの上端に、カード通過路２１の下面２１ａに向かうにしたがってＸ方向に広がる傾斜面１３ｅが形成されているため、カード通過路２１を通過するカード２の端部の排水孔１３ｄでの引っ掛かりを効果的に防止することが可能になる。
【００３７】
本形態では、排水孔１３ｄは、Ｙ方向において、突起部１３ｂ、１３ｃ間の全域に形成されている。また、Ｘ方向における排水孔１３ｄの内周面は、Ｙ方向と略平行に形成されており、Ｚ方向から見たときの排水孔１３ｄの形状は、矩形状となっている。そのため、Ｘ方向における排水孔１３ｄの幅を小さくしつつ、排水孔１３ｄを大きく形成することができる。したがって、本形態では、Ｘ方向におけるカード挿入部５の幅が小さい場合であっても、排水孔１３ｄから効果的に水を排出することができる。
【００３８】
本形態では、シャッタ駆動機構２３は、カード通過路２１の上方に配置されている。すなわち、シャッタ駆動機構２３は、排水孔１３ｄが形成された側とは反対側に配置されている。そのため、排水孔１３ｄから排出される水がシャッタ駆動機構２３に付着するのを防止するための構成を設ける必要がなくなる。したがって、本形態では、カード挿入部５がシャッタ部材およびシャッタ駆動機構２３を備えている場合であっても、カード挿入部５の構成を簡素化することができる。
【００３９】
なお、本形態では、カード通過路２１に下方から繋がる排水孔１３ｄが形成されているため、カード挿入口４からカード通過路２１に侵入する塵埃等も排水孔１３ｄから排出することができる。したがって、本形態では、カード処理部３への塵埃等の侵入も抑制することができる。
【００４０】
（他の実施の形態）
上述した形態は、本発明の好適な形態の一例ではあるが、これに限定されるものではなく本発明の要旨を変更しない範囲において種々変形実施が可能である。
【００４１】
上述した形態では、排水孔１３ｄは、Ｙ方向において、突起部１３ｂ、１３ｃ間の全域に形成されているが、排水孔１３ｄは、Ｙ方向において、突起部１３ｂ、１３ｃ間の一部に形成されても良い。また、上述した形態では、Ｘ方向における排水孔１３ｄの内周面は、Ｙ方向と略平行に形成されているが、排水孔１３ｄの内周面は、Ｘ方向およびＹ方向に対して傾いていても良い。さらに、上述した形態では、Ｚ方向から見たときの排水孔１３ｄの形状は矩形状となっているが、Ｚ方向から見たときの排水孔１３ｄの形状が菱形状、円形状あるいは楕円形状等となるように排水孔１３ｄが形成されても良い。
【００４２】
上述した形態では、カード通過路２１に１個のローラ２４が配置されているが、Ｙ方向で隣接する複数のローラ２４がカード通過路２１に配置されても良い。
【００４３】
上述した形態では、カード処理部３は、カード搬送機構７を備えている。すなわち、カードリーダ１は、カード搬送式のカードリーダである。この他にもたとえば、カードリーダ１は、カード処理部３がカード搬送機構７を備えていない手動式のカードリーダであっても良い。
【符号の説明】
【００４４】
１  カードリーダ
２  カード
３  カード処理部
４  カード挿入口
５  カード挿入部
１０  制御用基板
１３ｂ、１３ｃ  突起部
１３ｄ  排水孔
１３ｅ  傾斜面
２１  カード通過路
２１ａ  下面
２３  シャッタ駆動機構
２４  ローラ
Ｘ  通過方向
Ｙ  カードの幅方向
Ｚ  カードの厚さ方向
【図１】
2010160665.tif 000003
【図２】
2010160665.tif 000004
【図３】
2010160665.tif 000005
【図４】
2010160665.tif 000006
【図５】
2010160665.tif 000007